(57)【特許請求の範囲】
【請求項１】
可変光減衰器を制御する方法であって、
上流側の可変光減衰器が初期の校正ステップを完了したことを示す信号を受信する受信ステップと、
前記信号を受信したことに応じて前記可変光減衰器の校正を開始する開始ステップと
を有することを特徴とする方法。
【請求項２】
前記開始ステップは、
前記可変光減衰器における減衰量を所定の減衰量に設定する制御信号を供給するステップと、
前記可変光減衰器からの光出力パワーを示す信号を受信するステップと
を有することを特徴とする請求項１に記載の方法。
【請求項３】
前記開始ステップは、前記上流側の可変光減衰器が送信パワーレベルで光信号出力を出力していることを示す信号を受信する前に、実行されるステップであることを特徴とする請求項１または２に記載の方法。
【請求項４】
前記上流側の可変光減衰器が初期の校正ステップを完了したことを示す信号は、
前記可変光減衰器の減衰量が所定の減衰量に設定されたこと、
前記上流側の可変光減衰器が前記所定の減衰量に設定されており、かつ、前記可変光減衰器から出力された光信号出力が所定のパワーレンジ内に収まる値でもって測定されたこと
を示す信号であることを特徴とする請求項１ないし３のいずれか１項に記載の方法。
【請求項５】
上流側の可変光減衰器が初期の校正ステップを完了したことを示す前記信号を、前記可変光減衰器を備えた上流側のノードから送信するステップをさらに有することを特徴とする請求項１ないし４のいずれか１項に記載の方法。
【請求項６】
（ａ）前記上流側の可変光減衰器からの光信号出力の輻射パワーが送信パワーレベルに達したことを示す信号を受信するステップと、
（ｂ）前記可変光減衰器からの光信号出力の輻射パワーを示す信号を受信するステップと、
（ｃ）前記受信した信号と所定の目標輻射パワーレベルとに依存して誤差信号を決定するステップと、
（ｄ）前記誤差信号と利得係数とに依存して前記可変光減衰器の前記減衰量を制御する制御信号を決定するステップと、
（ｅ）前記可変光減衰器の前記減衰量を制御する前記決定した制御信号を出力するステップと
を有し、
前記（ｅ）のステップは必ず前記（ａ）のステップの後に実行されることを特徴とする請求項１ないし５のいずれか１項に記載の方法。
【請求項７】
前記（ｂ）のステップから前記（ｅ）のステップまでを繰り返し実行するステップをさらに有し、
前記利得係数のうち第１の値は第１の期間において使用され、
前記利得係数のうち第２の値は前記第１の値よりも小さく、かつ、第２の期間において使用されることを特徴とする請求項６に記載の方法。
【請求項８】
前記光信号出力の輻射パワーレベルが前記目標輻射パワーレベルの所定範囲内に収まったことを前記誤差信号が示すと、前記第１の値から前記第２の値への切り替えが実行されることを特徴とする請求項７に記載の方法。
【請求項９】
複数の可変光減衰器を備えた光リンクに配置された可変光減衰器を制御する方法であって、
可変光減衰器の初期の校正ステップが完了したかを判定する判定ステップと、
前記可変光減衰器の初期の校正ステップが完了したことを示す信号を、下流側の可変光減衰器に送信する送信ステップと
を有することを特徴とする方法。
【請求項１０】
前記判定ステップは、
前記可変光減衰器が所定の減衰量に設定されており、かつ、前記可変光減衰器から出力された光信号出力が所定のパワーレンジ内に収まる値でもって測定されたことを判定するステップ
を有することを特徴とする請求項９に記載の方法。
【請求項１１】
請求項１ないし１０のいずれか１項に記載された方法をコンピュータに実行させるプログラムを記憶したコンピュータ可読データ搬送媒体。
【請求項１２】
プロセッサが読み取り可能なインストラクションを記憶したプログラムメモリと、
前記プログラムメモリに記憶されているインストラクションを読み出して実行するプロセッサと
を備え、
前記プロセッサが読み取り可能なインストラクションには、請求項１ないし１０のいずれか１項に記載された方法を前記プロセッサに実行させるインストラクションが含まれていることを特徴とする制御システム。
【請求項１３】
可変光減衰器を制御する制御システムであって、
プロセッサ部を備え、
前記プロセッサ部は、
上流側の可変光減衰器が初期の校正ステップを完了したことを示す信号を受信し、
前記信号を受信したことに応じて前記可変光減衰器の校正を開始する
ように構成されていることを特徴とする制御システム。
【請求項１４】
前記プロセッサ部は、
前記可変光減衰器における減衰量を所定の減衰量に設定する制御信号を供給し、前記可変光減衰器からの光出力パワーを示す信号を受信することによって、前記可変光減衰器の校正を開始することを特徴とする請求項１３に記載の制御システム。
【請求項１５】
前記プロセッサ部は、
前記信号が、前記可変光減衰器からの光出力パワーが所定のパワーレンジ内にあることを示しているかどうかを判定するステップと、
前記可変光減衰器からの光出力パワーが前記所定のパワーレンジ内にあれば、前記可変光減衰器が初期の校正ステップを完了したことを示す信号を送信するステップと
を実行することを特徴とする請求項１４に記載の制御システム。
【請求項１６】
前記プロセッサ部は、
（ａ）前記上流側の可変光減衰器からの光信号出力の輻射パワーが送信パワーレベルに達したことを示す信号を受信するステップと、
（ｂ）前記可変光減衰器からの光信号出力の輻射パワーを示す信号を受信するステップと、
（ｃ）前記受信した信号と所定の目標輻射パワーレベルとに依存して誤差信号を決定するステップと、
（ｄ）前記誤差信号と利得係数とに依存して前記可変光減衰器の前記減衰量を制御する制御信号を決定するステップと、
（ｅ）前記可変光減衰器の前記減衰量を制御する前記決定した制御信号を出力するステップと、
（ｆ）前記（ｂ）のステップから前記（ｅ）のステップまでを繰り返し実行するステップと
を実行し、
前記利得係数のうち第１の値は第１の期間において使用し、
前記利得係数のうち第２の値は前記第１の値よりも小さく、かつ、第２の期間において使用することを特徴とする請求項１３ないし１５のいずれか１項に記載の制御システム。
【請求項１７】
可変光減衰器を制御する制御システムであって、
プロセッサ部を備え、
前記プロセッサ部は、
可変光減衰器の初期の校正ステップが完了したかを判定し、
前記可変光減衰器の初期の校正ステップが完了したことを示す信号を下流側の可変光減衰器を制御する制御システムに送信する
ことを特徴とする制御システム。
【請求項１８】
少なくとも１つの可変光減衰器と、請求項１３ないし１７のいずれか１項に記載された少なくとも１つの制御システムとを備えたデバイスであって、
前記少なくとも１つの制御システムは前記少なくとも１つの可変光減衰器と接続されており、該少なくとも１つの可変光減衰器を制御することを特徴とするデバイス。
【請求項１９】
前記デバイスは、複数の前記可変光減衰器を備え、前記複数の可変光減衰器はそれぞれ異なる波長の光信号を減衰するように配置されていることを特徴とする請求項１８に記載のデバイス。
【請求項２０】
複数のノードを備えた光ネットワークであって、
前記複数のノードのそれぞれは、請求項１８または１９に記載した少なくとも１つの前記デバイスを備えていることを特徴とする光ネットワーク。
【発明の詳細な説明】
【技術分野】
【０００１】
本発明は、複数のノードを備えた光リンクのノードにおいてチャネルのパワーを制御するための方法と装置を含む、光リンクに含まれるチャネルのパワーを制御するための方法と装置に関する。本発明の実施形態は、光リンクに沿って導入されるチャネルのパワーを制御するために特に適している。本発明の実施形態は、また、自動回線交換光ネットワーク（ＡＳＯＮ）の可変光減衰器の操作を制御するために特に適しているが、それに限定されるものではない。
【背景技術】
【０００２】
波長分割多重技術は、各信号（「チャネル」）を異なる光の周波数または波長で送ることによって、単一の光伝送媒体（たとえば、ファイバ）によって複数の異なる信号を伝送する技術である。伝送のために異なるチャネルを一緒に結合するために合波器が用いられ、伝送後にチャネルを分離するために分波器が用いられる。ＷＤＭ光伝送システムは、ネットワークノードを結び付ける多くの光ファイバのスパンからなりたっているのが通常である。
【０００３】
初期のＷＤＭネットワークは、ネットワークノード間で光信号の経路決定するために単純で固定の光フィルタを用いていた。そのようなネットワークは、それ故に、本質的に「静的」である、すなわち、故障状況時またはネットワーク構成を高性能化または変更するために人が介在する場合を除いては、チャネル構成（伝送されるチャネルの数およびネットワークのノードを通過するチャネルの経路）は変化しなかった。
【０００４】
より最近のＷＤＭネットワークは、遠隔地からのチャネルの再構成、新しいチャネルのより迅速な提供および、よりよいネットワークの復元力を可能にする再構成可能な光ネットワークノードを含むことができる。そのような再構成可能な光ネットワークノードは、光信号の制御と経路を決定するために、ＲＯＡＤＭ（再構成可能な光アド／ドロップ合波器）またはＷＳＳ（波長選択性スイッチ）デバイスなどのような集積化光デバイスを用いることが多い。同じ機能を提供するために個別光デバイスを用いることもできるが、大きなチャネル数のＷＤＭネットワークでは集積化デバイスを用いる方が一般には安価である。
【０００５】
ＡＳＴＮ（自動回線交換伝送ネットワーク）として一般に知られているＳＤＨ（同期ディジタルハイアラーキ）のような単一チャネル光ネットワークでは、トラフィックの自主的な経路変更は比較的よく知られている。より進んだ形態のＷＤＭネットワークでは、ネットワーク制御ソフトウェアもまた、例えば、故障、帯域変更要請などのようなネットワークにおける要請に従ってトラフィックの自主的な経路変更をすることができ、このようにして人が介在する必要性を減少している。このようなＷＤＭネットワークは、一般に、ＡＳＯＮ（自動回線交換光ネットワーク）と呼ばれる。
【発明の概要】
【発明が解決しようとする課題】
【０００６】
一般に、光−電気―光変換を用いた信号再生は、信号の品質を回復するために必要な場合を除いては、どのノードでも行われていない。そのように、ノードからノードへの信号の経路決定と伝送は、光ドメインで行われるのが一般的である。
【０００７】
光システムでは各チャネルのパワーレベルを制御することが望ましい。光信号はネットワークを通して伝送されるので、ファイバと光デバイスによる減衰、光ファイバ内のラマン散乱、光増幅器の波長依存の利得などを含む波長に依存した色々な効果を受ける。チャネルがネットワークに追加させるときに、既存のチャネルの崩壊や、または例えば、エルビウム添加ファイバ増幅器のような非線形デバイスによって増幅されることにより既存のチャネルと干渉することもある輻射パワーサージを防ぐために、光信号パワーを制御することは特に望ましい。
【０００８】
図１は、波長スイッチングと光パワー制御の目的でＡＳＯＮノードに用いるのに適したデバイス１０の概略図である。
【０００９】
デバイス１０は、複数の入力端子１４ａ、１４ｂ−―−１４ｍの任意の１つを可変光減衰器（ＶＯＡ）１６に結合するように動作できる端子選択スイッチ１２を備える。端子選択スイッチ１２はこのように特定の端子にスイッチすることにより光信号経路を選択するように動作し、それにより、ネットワークのなかの所望の経路に沿って光信号の方向付けを行う。ＶＯＡ１６は、出力端子１８へ伝送される光信号のパワーを制御し、チャネルパワーを許容ダイナミックレンジに収まるようにする。
【００１０】
光信号を許容ダイナミックレンジ内に維持するために、ＶＯＡ１６は制御器２０へ結合されている。パワー監視機能は各ノードに備わっていて、（たとえば、線端子１８のような）各線端子での各チャネルパワーを常時測定する。このような監視は、経費の点から、ＶＯＡの後段でのみ行われるのが通常である。制御器２０は、測定されたチャネルパワーと目標チャネルパワー（たとえば、ネットワーク内の光チャネルの正常な伝送に適した伝送パワーレベル）との差に基づく誤差信号を決定し、次に、決定された誤差信号に固定の乗数（利得）とともにＶＯＡの減衰を制御するために用いられる。制御器２０は、繰り返し制御アルゴリズムとして実行されるのがしばしばである。所定の規則的な時間間隔で適当なＶＯＡの減衰に対して調整がなされる。ＶＯＡの１回の更新と次回の更新との間の周期は制御サイクルとよばれる。
【００１１】
図２は、１つのチャネルがノードに導入された時に、ノードの出力での光チャネルパワーの時間経過の典型例を示す。横軸は任意スケールの時間であり、縦軸は任意のデシベル（ｄＢ）スケールの光パワーである。
【００１２】
工程の初め（状態Ａ）では、ＶＯＡ１６は最大減衰状態（遮断状態）にあり、デバイス（すなわちノード）の出力端でのチャネルパワーを無視できる程度にしている。これは、通常はデバイスの静止状態であり、ノードを通る光雑音パワーの伝送を最小にするためである。このような雑音は上流のノードでの信号の光増幅の期間に生ずる可能性がある。
【００１３】
チャネルを導入するためには、ＶＯＡ１６が、初期校正ステップを行い、所定の「安全」値（図２の状態Ｂ）に調節される。光パワーはＶＯＡ１６の後段でのみ監視可能で、ＶＯＡの入力側でのチャネルパワーは不明であり、このステップが必要である。ノードに供給される光信号の入力パワーが想定外に高ければ、そこでＶＯＡがつぎに低い減衰値に設定される。ノードからの非常に高い出力パワーの信号は、チャネル経路に沿った既存のチャネルに擾乱を引き起こすこととなり、また下流の光検出器に損傷をもたらすことになりかねない。それゆえ、ＶＯＡのこの初期「安全」減衰値は、色々な成分の許容度と入力パワーのありうるべき範囲を考慮した後に、受け入れられる程度の低いチャネル出力パワーになるように選択される。ＶＯＡがこの「安全」減衰値に設定されると、入力パワーがノードの引き続く正しい操作を可能とするべき許容範囲内にあることをチェックするために、光出力パワーが測定される。
【００１４】
初期校正ステップがチャネル出力パワーを読むことによって完了されると、制御ループのアルゴリズムが働き出し、ＶＯＡの減衰値を低減するように働く。これにより、図２の時間間隔Ｃにて見られるような階段状の変化を発生する。このようにして、チャネルのパワーは徐々に目標出力パワーに近づき、各階段あたりのチャネルパワーの変化は目標のチャネルパワーに近づくにつれて減少し、ついには、ノード出力端でのチャネルパワーはほぼ目標のチャネルパワーに達する（すなわち状態Ｄ）。この場合、安全値（状態Ｂ）から目標値（状態Ｄ）へ動くために、出力パワーは約２０ステップ（すなわち約２０制御サイクル）かかることが判るであろう。引き続いて、光パワー出力が目標のチャネルパワーに一致するかその近傍に保持されるように、同じ制御ループのアルゴリズムはＶＯＡの減衰値を制御するように働く。
【００１５】
光チャネルはいくつかのノードを備えた光リンクに沿って伝送されるのが普通である。既存の確立したチャネルの崩壊や既存のチャネルとの干渉を起こしかねない輻射パワーサージを防ぐために、新しいチャネルは後続ノードのそれぞれに繰り返し導入される。チャネルパワーがノードでのほぼ目標のチャネルパワー（すなわち、図２の状態Ｄ）になると、そのノードは次の下流のノードに信号を伝送する。その下流のノードでのＶＯＡは、 そこで、その下流のノードでチャネルを導入する工程をはじめる。例えば、ノード出力端でのチャネルパワーがほぼ目標のチャネルパワーに達したことを示す関連信号が光監視チャネル（ＯＳＣ）を経由して、「備え付けの波長テーブル」を用いて伝送される。備え付けの波長テーブルは、どの波長チャネルが完全に存在している（すなわち、ノードからの出力パワーが正常である。）かを示すデータである。新しいチャネルが今や完全に存在していることを示すための備え付けの波長テーブルの更新は、また、「存在チャネル」メッセージとも呼ばれる。
【課題を解決するための手段】
【００１６】
第１の側面で、本発明は可変光減衰器を制御する方法を提供する。本方法は、上流の可変光減衰器が初期校正ステップを完了したことを示す信号を受信するステップと、前記信号の受信に応じて可変光減衰器の校正を開始するステップとを備える。
【００１７】
このような制御システムによって、光減衰器は、上流のノードが光チャネルをまだ導入中である期間にＶＯＡの校正ステップを行うことによって、前記チャネルが光リンクに沿って導入するのにかかる時間の低減を可能とする。以前は、光信号が許容限界内で安定性を維持してネットワーク内での全体のパワー不安定性を防ぐためには、次の下流のノードがチャネルを導入することが可能となる前に、前記チャネルが各ノードで完全に導入されることが必要であると信じられてきた。しかしながら、上流のノードで初期校正ステップが実行されると、前記チャネルは前記上流のノードから所望のパワーレベルで首尾よく出力され、それゆえに下流のノードでの校正が開始できる、ということに高レベルの自信があることを本発明者は理解した。このような制御システムは、このように、再構成可能な光ノードのチェーンが光信号をエンドツーエンドでの伝送を確立できるまでの速度を改善し、ＡＳＯＮネットワークを用いるときの競合上の利点を提供するものである。さらに、このような制御システムによって提供できるリンクの対応する比較的早い復帰は、バックアップ（たとえば、予備）経路をすばやく回復させることによってネットワークの復元力を改善するために用いることができる。
【００１８】
可変光減衰器の校正を開始するステップは、可変光減衰器の減衰を所定の減衰値に設定するために制御信号を供給するステップと、前記可変光減衰器からの光出力パワーを示す信号を受信するステップとを備えてもよい。可変光減衰器の校正を開始するステップは、前記上流の可変光減衰器が伝送パワーレベルにある光出力信号を有していることを示す信号を受信する前に実行されてもよい。
【００１９】
上流の可変光減衰器が初期校正ステップを完了したことを示す信号は、前記可変光減衰器の減衰が所定の減衰値に設定されたことを示し、上流の可変光減衰器が前記所定の減衰値にある期間に可変光減衰器からの出力光信号が所定のパワー範囲にあることが測定されたことを示してもよい。
【００２０】
前記方法は、上流の可変光減衰器が初期校正ステップを完了したことを示す信号を、可変光減衰器を含む上流のノードから送信するステップをさらに備えてもよい。
【００２１】
前記方法は、つぎのステップをさらに備えてもよい。
（ａ）上流の可変光減衰器からの光信号出力の輻射パワーが伝送パワーレベルに達したことを示す信号を受信するステップと、
（ｂ）可変光減衰器からの光信号出力の輻射パワーを示す信号を受信するステップと、
（ｃ）前記受信信号と所定の目標輻射パワーレベルに依存して誤差信号を決定するステップと、
（ｄ）前記誤差信号と利得係数に依存して可変光減衰器の減衰値を制御するための制御信号を決定するステップと、
（ｅ）可変光減衰器の減衰値を制御するための前記決定された制御信号を出力するステップであって、すくなくともステップ（ｅ）はステップ（ａ）の後にだけ実行されるステップ。
【００２２】
前記方法は、ステップ（ｂ）から（ｅ）を繰り返すステップをさらに備えてもよい。そこでは第１の期間の間は第１の値の利得係数が用いられ、第２の期間では第２の、より低い値の利得係数が用いられる。
【００２３】
出力光信号の輻射パワーが目標輻射パワーレベルの所定の範囲内にあることを誤差信号が示すと、第１の値を用いることから第２の値を用いることへの切り替えがなされてもよい。
【００２４】
第２の側面で、本発明は、複数の光減衰器を備えた光リンク内に位置する可変光減衰器の制御のための方法を提供する。本方法は、可変光減衰器の初期校正ステップが完了したことを決定するステップと、下流の可変光減衰器によって受信されるために、可変光減衰器が初期校正ステップを完了したことを示す信号を送信するステップとを備える。このような信号を伝送することによって、チャネルが現在のノードではまだ導入中でありながら、下流のノードは、下流のノードにあるＶＯＡの初期校正を開始することが可能となる。
【００２５】
初期校正ステップが完了したことを決定するステップは、可変光減衰器が所定の減衰値である期間に可変光減衰器からの出力光信号が所定のパワー範囲内であると測定されたことを決定するステップを備えてもよい。
【００２６】
第３の側面では、本発明は、上記の方法を実行するプロセッサを制御するために、コンピュータが読むことができるインストラクションを搬送するデータキャリアを提供する。
【００２７】
第４の側面では、本発明は、プロセッサが読むことのできるインストラクションを蓄積するプログラムメモリと、前記プログラムメモリ内に蓄積されたインストラクションを読んで実行するように構成されたプロセッサとを備えた制御システムを提供する。プロセッサが読むことのできるインストラクションは、上記の方法を実行するためにプロセッサを制御するためのインストラクションを備える。
【００２８】
制御システムは、上流の可変光減衰器が初期校正ステップを完了したことを示す信号を受信し、前記信号の受信に応じて可変光減衰器の校正を開始するために構成されたプロセッサ部を備えてもよい。
【００２９】
プロセッサは、可変光減衰器の減衰値を所定の減衰値に設定するための制御信号を供給することにより可変光減衰器の校正を開始し、上記可変光減衰器からの光出力パワーを示す信号を受信するように構成されてもよい。
【００３０】
プロセッサ部は、可変光減衰器からの光出力パワーを示す信号が所定のパワー範囲内にあるかどうかを決定し、光出力信号パワーが前記所定のパワー範囲内にある場合は可変光減衰器が初期校正ステップを完了したことを示す信号を発信するようにさらに構成されてもよい。
【００３１】
プロセッサ部は、
（ａ）上流の可変光減衰器からの光信号出力の輻射パワーが伝送パワーレベルに達したことを示す信号を受信する、
（ｂ）可変光減衰器からの光信号出力の輻射パワーを示す信号を受信する、
（ｃ）前記受信信号と所定の目標輻射パワーレベルに依存して誤差信号を決定する、
（ｄ）前記誤差信号と利得係数に依存して可変光減衰器の減衰値を制御するための制御信号を決定する、
（ｅ）可変光減衰器の減衰値を制御するために前記の決定された制御信号を出力する、
および
（ｆ）ステップ（ｂ）から（ｅ）を繰り返す、
ようにさらに構成されてもよい。
上記利得係数の第１の値は第１の期間の中で用いられ、利得係数の第２の、より低い値が第２の期間の中で用いられる。
【００３２】
第５の側面では、本発明は、可変光減衰器に対する制御システムを提供する。前記システムは、可変光減衰器の初期校正ステップが完了したかどうかを決定し、下流の可変光減衰器の制御システムによって受信されるべく、可変光減衰器が初期校正ステップを完了したことを示す信号を発信するように構成されたプロセッサ部を備える。
【００３３】
第６の側面では、本発明は、上記したように少なくとも１つの可変光減衰器と、少なくとも１つの制御システムを備えたデバイスを提供する。前記少なくとも１つの可変光減衰器の減衰値を制御するために、前記少なくとも１つの制御システムは前記少なくとも１つの可変光減衰器に結合している。
【００３４】
前記デバイスは、それぞれが異なる波長の光信号を制御性良く減衰させるように構成された複数の前記可変光減衰器を備えてもよい。
【００３５】
第７の側面では、本発明は、前記ノードのそれぞれが上記したような少なくとも１つのデバイスを備えていることを特徴とする複数のノードを備えた光ネットワークを提供する。
【図面の簡単な説明】
【００３６】
さて、本発明好適なる実施形態を以下の付随の図面を参照して、例示の目的でのみ記述しよう。
【図１】パワー制御のための可変光減衰器（ＶＯＡ）と結合したセレクタスイッチを備えた公知の波長選択スイッチデバイスの概略図である。
【図２】チャネルが公知の技術を用いて図１に示すデバイスへ導入されているときの、時間の関数としての光出力パワーのグラフである。
【図３】本発明の実施形態に従ってパワー制御が実行される複数のノードを備えた光ネットワークを示す概略図である。
【図４】図３のノード１と２の中にあるＶＯＡに対する、時間の関数として光出力信号パワーを示すグラフである。
【図５】本発明の実施形態に従って動作する関連制御器を有する、ＶＯＡに結合したセレクタスイッチを備えた波長選択スイッチデバイスの概略図である。
【図６】本発明の実施形態に従った、図５に示した制御器の中で使用するのに適した制御アルゴリズムを例示する概略図である。
【図７】本発明の実施形態に従った方法を例示する流れ図である。
【発明を実施するための形態】
【００３７】
よく知られているように、ネットワーク制御ソフトウェアは、たとえば、故障、帯域変更要請などのネットワークの要請に従ってトラフィックを自主的に経路変更する。例えば、故障によって影響を受けなかった経路に沿って新しいトラフィック経路を形成することにより、ネットワーク内の故障後に端末―端末間の光リンクを復活させることが望ましい。この経路変更は急速に実行されるほど、ネットワークのトラフィックおよび／または復元力が迅速に復活できる。
【００３８】
本発明者は、フォトニックノード内で用いられるような再構成可能な光デバイスを用いることによって新しい挑戦の機会が与えられることを理解している。
【００３９】
例えば、多くの既存のＡＳＴＮネットワーク（すなわち、 非ＷＤＭのネットワーク）では、トラフィックの復活作業を実行する時間は、主に、ＡＳＴＮ管理ソフトウェアの操作の速度で制限されている。これは、関連電子スイッチングハードウェアの再構成時間が非常に遅いからである。（例えば、ＡＳＯＮを実現するために）等価な機能をＷＤＭネットワークで開発しても、操作時間は同様であろうと考えるのが一般的な予測である。しかし、本発明者は、これはそうではなさそうであることに気付いた。
【００４０】
特に、本発明者は、フォトニックノード内で用いられる再構成可能な光デバイスは、一般的には、単一チャネルシステムにおいて用いられる電子的な等価品と同じ時間スケールで動作することはできないことを理解している。このような再構成可能な光デバイスが光スイッチング（或る端子から他の端子への信号の経路の変更）を行うためにかかる時間および、光「レベリング」（チャネルの光出力パワーを所望の目標レベルに調節するためにチャネルの減衰量を変更するステップ）を含む光チャネルの導入のための時間は、用いられる技術の光応答時間および／またはデバイス内での必要なデータ処理工程によって制限されている。このように、チャネルパワーの更新ステップ間の時間遅延（すなわち、制御器によって用いられる「制御サイクル」）は比較的長いに違いない。
【００４１】
例えば、フォトニックノード内の制御器に対する制御サイクルは、通常、数百ミリ秒のオーダであり、これは、各ノードにチャネルを導入するためにかかる時間に影響を与える。リンクは多数のノードでチャネルを導入する必要があり、また、各チャネルはリンクの次のノードに導入される前に各ノードで順番に導入されなければならないので、従来技術の方法を用いてノードのチェーンに沿ってチャネルを導入するステップは許容できないほどに長くなることがある（例えば、多数秒）。
【００４２】
本発明者は、ノードのチェーン（例えば光リンク）へチャネルを導入するためにかかる時間が、チャネル導入手続きを連続したノード間で部分的に重複させることにより、低減できることに気付いた。
【００４３】
容認されている技術慣行によれば、チャネル導入工程を重複させることは、光信号のパワーレベルの不安定性につながり、ネットワーク内の全パワーの不安定性をもたらすので望ましくないとされている。しかしながら、本発明者は、初期校正ステップが１つのノード内のＶＯＡによって実行されると、前記チャネルが前記ノードから所望のパワーレベルで首尾よく出力され、そこで、リンク内の次のノードの校正を開始することができる、ということに高レベルの確信がある。
【００４４】
各ノードでチャネルを導入するためにかかる時間をさらに低減するために、各ノードの可変光減衰器に対する制御システムは少なくとも２つの利得値を用いるのが好適である。第１の（たとえば、比較的高い）利得値は、（校正手続き後に用いられる）初期ステップサイズが比較的高く、ＶＯＡが比較的急速に（たとえば、ネットワーク内の光チャネルの正常な伝送に適したパワーレベルである）目標輻射パワーレベルに確実に近づけるために用いられる。
【００４５】
第１の利得値が同様のノードのチェーンに沿って常に用いられてしまうことで発生しうる不安定性であって、トラフィック経路の（信号のビット誤差もしくは完全な喪失、または、光増幅器内のダイナミックレンジ効果による他の光チャネルへの擾乱などの）性能劣化を引き起こしかねない不安定性を防ぐために、より低い値の第２の利得係数が所定の期間のあとに順次用いられる。所定の期間とは、所定の制御サイクル数の期間であってもよく、または、ＶＯＡの目標輻射パワーと光出力パワーの差を示す誤差信号が所定のレベル以下に落ちた後、たとえば、光出力パワーレベルが所定のレベルに到達した直後などである。
【００４６】
このような制御システムは、このようにして、再構成可能な光ノードのチェーンが光信号の端末−端末間の伝送を確立する速度を改善でき、ＡＳＯＮネットワークを用いるときの競争上の利点を提供するものである。さらに、このような制御システムによって提供できるリンクの、対応する比較的早い復活は、バックアップ（たとえば予防）経路を迅速に復活することによりネットワーク復元力を改善するために用いることができる。
【００４７】
さて、本発明の実施形態に従ってチャネルの導入手続きの概要を図３と図４を参照して記述しよう。より詳細は引き続いて図５から図７を参照して提供される。
【００４８】
図３は光メッシュネットワーク１００の概略図であり、ここで特定の単一チャネルに対して（メッシュネットワークの１つの経路である）リンクを形成するノード（５０ａ、５０ｂ‐‐‐５０ｎ）だけが描かれている。各光ノードは再構成可能であり、全てのノードが少なくとも１つの波長選択スイッチ、または同様の機能を提供する装置を含む。波長選択スイッチによって形成される接続により、（たとえば、所定の波長の光信号のような）特定の単一チャネルに対するリンクは光ノードの一連のチェーンを備える。この特定の例では、各ノードは経路決定を（およびレベリング、すなわち前記チャネルの光パワーを許容性能限界内に維持するように各ノード内のＶＯＡを制御するステップも）行うためのデバイス１０’を備える。
【００４９】
各ノードは隣接のノードへ光ファイバ（５２、５４）の１つ以上のスパンのそれぞれによって接続されている。所望のトラフィックの方向に（ファイバスパン５２に沿って、ノード５０ａから目的地ノード５０ｎへ）発信される特定の光チャネルだけをここでは考える。逆のトラフィック方向（すなわち、光ファイバスパン５４に沿って発信された信号）は考えないし、同じファイバスパン５２に沿って発信されたものであるかもしれない任意の他の波長の信号（チャネル）も考えない。
【００５０】
最初の光信号６０は第１のノード５０ａへ入力され、隣接のノードを通して目的地のノード５０ｎへ発信され、そこで出力信号６２として再構成可能なネットワークを離れる。
【００５１】
図４は、図３のネットワーク１００における第１と第２のノード（５０ａ、５０ｂ）に対するＶＯＡの減衰制御設定値に対応する光出力パワー（実線）と引き続く実際の光出力パワー応答（破線）を示すことによってこの導入手続きを示す。
【００５２】
期間Ｔは制御サイクルの周期を表す。状態Ａ１、Ａ２は、関連するＶＯＡが遮断（最大減衰）状態にあることを表し、状態Ｂ１、Ｂ２は各ＶＯＡが初期校正状態にあることを表し、Ｃ１、Ｃ２は所望の、目標出力パワーに達するために各ＶＯＡが制御信号を受信するステップを表す。状態Ｄ１、Ｄ２はＶＯＡの出力パワーが適当な伝送パワーレベルに到達したことを示す。
【００５３】
ノード２のＶＯＡの初期校正ステップ（Ｂ２）がノード１のＶＯＡのレベル調整ステップ（Ｃ１）と同じ時間に起こるので有利であることが分かる。ＶＯＡが所定の（「安全な」）減衰値に設定されている期間に前記ＶＯＡの出力端での光チャネルパワーが許容限界内にあるかどうかを決定するために、ノード１のＶＯＡの制御器が校正ステップ期間の終了時にパワー測定を行ことによってこの重複を可能とする。
【００５４】
ノード１のＶＯＡからの光出力パワーが所定のパワー範囲であると決定されると、そこで、ＶＯＡの校正ステップは首尾よく完了し、ノード１の制御器は、ノード１のＶＯＡが校正ステップを首尾よく完了したことを示す第１の信号をノード２へ発信する。この第１の信号は追加メッセージ型のもので、校正を開始するための、下流のノード（この例ではノード２）へのインストラクションの形態をとってもよい。信号は光監視チャネル（ＯＳＣ）を用いて発信されるのがよい。
【００５５】
この第１の信号は、出力チャネルパワーが発信側（上流の）ノードで実際に正しい（たとえば、光チャネルの伝送にとって適当なパワーレベルにある）ということを示すものではないことは注意すべきである。
【００５６】
これに代えて、光出力パワーが所定の、許容できる出力範囲内であることをチェックすることで、ノード１のＶＯＡは、ＶＯＡの既知のダイナミックレンジと所定の減衰値で測定される光パワーが与えられると、目標パワー（たとえば、伝送パワーレベル）で光信号を出力することができるであろうということを予測できる。それ故に、次段ノードのＶＯＡをその「安全な」校正値に設定するステップを開始する前に、レベル調整ステップ（すなわちＣ１）が完了するまで待つ必要はないことに、本発明者は気づいた。
【００５７】
上流のＶＯＡが校正ステップを首尾よく完了したことを示す前記第１の信号を受信すると、下流のノード（ノード２）のＶＯＡの制御器は、自身の校正ステップ（Ｂ２）を始める。すなわちＶＯＡに所定の「安全な」減衰値を設定するように信号を送る。同時に、第１の信号を送った上流のノードのＶＯＡ（ノード１）はレベル調整ステップＣ１を開始する。
【００５８】
校正ステップを回避するために、リンク内の全てのＶＯＡが所定の「安全な」減衰値を設定することは、その結果としてリンクに沿って光雑音の増大を招くため、必ずしも望ましいことではないことに注意すべきである。
【００５９】
図４に示した例では、レベル調整手続き（ステップＣ１，Ｃ２）に対して単一のレベル調整ステップだけが必要となるように、レベル調整手続きのために用いられる制御ループに対して高い第１の値の利得（たとえば、１）が利用される。このような実施形態では、校正の確認とそれに引き続いて実行されるレベル調整ステップにおいてＶＯＡを設定するため、たった１回だけのパワー測定が必要となるのが通常である。さらに、ノードでのチャネルの導入は、（従来技術の方法により必要とされたずっと多くの制御サイクルを用いるのに比べると）、校正ステップを含めてたった２回の制御サイクルが必要となるだけである。
【００６０】
ノード１にあるＶＯＡからの出力パワーが目標パワーレベル（たとえば、伝送パワーレベル、状態Ｄ１）に達すると、このことを示すために、第２の信号を下流のノードに、例えばＯＳＣを用いて送信することもできる。
【００６１】
例えば、正しいチャネルパワーは、ＯＳＣを用いたはじめの「チャネルが存在する」メッセージ型の次の送信によって示すことができる。ＯＳＣによるメッセージ伝送が十分に速い限り、この第２のメッセージが来ないという事実は、例えば、ノード１でのＶＯＡからの光信号出力が適当な伝送パワーレベルにあることを示す信号が受信されてノード２がステップＣ２（レベル調整ステップ）を開始したばかりの場合のように、上流のノードでの校正段階が成功した後でさえ正しいチャネルパワーが達成できない場合に、下流のノード（ノード２）でのチャネル導入を遅延させ、中断させるために用いることができる。
【００６２】
第１の期間が終わったと判定されると、ノード１の制御ループの利得係数は、それ故に、安定性のために第２の、より低い値に低減されるので、この「チャネルが存在する」という信号は次に送られるのが通常である。
【００６３】
このように、現在のノードの利得係数が第２の、より低い値に設定されると（すなわち、ステップＤ１）、リンクの後段のノードはチャネルを導入するステップ（レベル調整ステップＣ２）を始める。このようにしてリンク内で不安定性が起こる危険性を低減する。さらに、このように、何時でも、リンク内の２つ以上のノードがより高い、第１の利得値で稼働しているということはない。
【００６４】
光パワー監視手続きに要する時間がデバイスの減衰変化の応答に比べて小さく、パワー測定は、通常、各制御サイクルの終了時頃に行われることが好ましい。そうでない場合は、下流のノードのＶＯＡの校正ステップと上流のＶＯＡのレベル調整ステップとを完全な１制御サイクルによって重複させることができないであろう。しかしながら、下流のノードが校正ステップを実行している間にパワー測定が完了する時までには目標パワーが上流のノードで達成されるであろうことを把握すると、できるだけ長い時間、下流の工程（たとえば、校正ステップ）を活性化することによって工程を重複させることにより、改善を図ることも考えられる。
【００６５】
上記の手続きは、各ノードで反復して繰り返し行われるのが好適であり（例えば、ノード２で、校正ステップが首尾よく完了すると、後段の下流のノードに第１の信号を送り、前記下流のノードが校正手続きなどを開始できるようにする）、このようにして光リンク全体に亘ってできるだけ多くのチャネル導入工程を重複させる。
【００６６】
図５は、上記の技術を実施するために適当なデバイス１０’の概略図である。この特定のデバイス１０’はＡＳＯＮのノードに用いるためのものであり、波長スイッチと光パワーの制御のためのものである。
【００６７】
記述を明瞭にするために、単一波長経路だけが示されている。すなわち、この構成は異なる波長のそれぞれに対して繰り返される。４０波長チャネルまたは８０波長チャネルが備わっていて、それぞれが対応するデバイス１０’を有しているのが通常例である。光増幅及び他の機能もそのよく知られたデバイスでノードに備わっていてもよいが、それら関連するデバイスはここには示されていない。説明を簡潔化するために、同一の参照数字はすべての図を通して同様の特徴物を表す。
【００６８】
図５に示されたデバイス１０’は図１に示されたデバイス１０と一般的には同様の構成であることが分かるであろう。デバイス１０’は、端子選択スイッチ１２を備えるが、これは複数の入力端子１４ａ、１４ｂ‐‐‐１４ｍの中の任意の１つをＶＯＡ１６へ接続するように動作する。各入力端子は異なる光信号経路に結合する。このようにスイッチ１２は、特定の端子へスイッチすることにより、前記デバイスにより前方への伝送のための関連する光信号経路を選択するように稼働する。デバイス１０’の出力端子１８へ発信される光信号のパワーを制御するためにＶＯＡ１６の減衰量が制御される。ＶＯＡ１６は、チャネルパワーを許容ダイナミックレンジ内に維持するようにＶＯＡ１６の減衰量を制御するための制御信号を提供する制御器２０’に接続される。
【００６９】
典型的なノードでは、このようなデバイス１０’は、ノード構成に依存して、発信および／または受信の方向の全ての線端子で用いられるであろう。発信側の構成（すなわち、複数の選択可能な入力と単一の出力を持つ構成）が示されている。比較により、受信の側の構成は、単一の入力端子および複数の選択可能な出力端子を備える。発信構成と受信構成ともデバイス１０’を通して発信される光信号のパワーを制御するための可変光減衰器と対応する制御器２０’とを含む。
【００７０】
図５は、制御器２０’が２つの機能部分２０ａ、２０ｂから成り立っていると見ることができることを示している。機能部分２０ａは、上流のノードからの第１と第２の信号（例えば、上流のノードのＶＯＡが、それぞれ、初期校正ステップを完了したこと、および光出力信号が適当な伝送パワーレベルにあることを示す信号）を受信し、対応する第１と第２の信号を下流のノードへ発信するように構成される。機能部分２０ｂは、レベル調整ステップ（たとえば、ステップＣ１，Ｃ２）において用いるために、および引き続くチャネル伝送パワーの制御（Ｄ１，Ｄ２）のために制御ループを備えていて、図６を参照して以下に詳述される。
【００７１】
そのような信号の伝送と受信のためには、部分２０ａは、ＯＳＣを発信および受信するノードの部分（または複数の部分）に機能的に結合する。機能部分２０ａは、第１の信号の受信に応じてＶＯＡの校正を開始し、上流のノードからの第２の信号の受信に応じて第２の部分の制御ループの操作を開始するように構成されている。機能部分２０ａは、ＶＯＡ１６が校正ステップを首尾よく完了すると（たとえば、ＶＯＡからの出力パワーレベルを測定することによって、）そのことを決定し、下流のノードへ第１の信号を出力するように構成される。機能部分２０ａは、同様に、ＶＯＡ１６からの光パワー出力が適当な伝送レベルになると（再び光出力パワーから、または代替法として部分２０ｂからの関連する信号を受信するステップによって、）そのことを決定し、そこで、下流のノードにて受信されるように第２の信号を出力するように構成されている。
【００７２】
図６は、レベル調整、すなわち、図４の状態Ｃ１に関連して前記した制御ループアルゴリズムを実施するために制御器部分２０ｂに備えられた特定の機能ブロックを示す概略図である。レベル調整ステップを実行している期間に、制御器２０ｂは、ＶＯＡ１６の減衰（および、それ故、デバイス１０’を通して発信される光信号のパワー）の閉ループ制御を提供する。従来技術の制御器２０と制御器２０’との間の差の１つは、制御器２０’は帰還ループの利得を時間とともに変えることである。以下に詳しく記すが、利得のこの変化は、レベル調整ステップの間に出力光信号が所定の目標輻射パワーレベルに到達することを可能とするために、時間の関数として出力光信号のパワーの、最初の相対的に早い変化を可能とする。引き続いて、異なる利得値を用いて、光信号が許容限界内で安定性を維持し、最初の利得係数が維持された場合に起こるであろうあらゆる全体的なパワー不安定性を防ぐ。
【００７３】
制御器部分２０ｂは、個々のチャネルパワーを連続的に（または周期的に）測定するパワー監視要素（２２）を含む。図６に示した特定の実施形態では、チャネルパワーはアナログーデジタル変換器２２で標本化される。ＡＤＣ２２の出力は可変光減衰器からの光信号出力の輻射パワーを示す信号である。
【００７４】
つぎに、出力光信号の輻射パワーと所定の目標輻射パワーレベルを示す信号に依存して誤差信号が決定される。目標輻射パワーレベルは、所望の光信号出力パワーである。このような所定の目標輻射パワーレベルはネットワーク管理者によって設定されている。
【００７５】
図６に示す実行形態では、誤差信号は出力光信号の輻射パワーを示す信号と所定の目標輻射パワーレベルを示す信号２３との間の差を決定することによって発生される。特に、加算点２４は、所定の目標輻射パワーレベルを示す信号２３を出力光信号の実際の輻射パワーを示す信号から引き算することによって誤差信号を決定する。
【００７６】
誤差信号は、引き続いて、積分機能要素２６’によって利得係数に依存して大きさを調整される。利得係数は、乗算係数であり、制御ループの利得を決定するために用いられる。図６に示した実行形態例では、誤差信号と利得係数の積がステップサイズ、即ち、光信号出力パワーが目標輻射パワーレベルに近づくために必要なＶＯＡの減衰量の増分または減少分を決定する。制御ループのサイクルに対応する全ての所定の時間間隔で１回、計算されたステップサイズが積算器２８に加算されるが、その出力はＶＯＡの減衰量の現在の値を表す。積算器２８の出力はこのようにＶＯＡ１６の減衰量を制御するための制御信号としてＶＯＡ１６へ供給される。
【００７７】
制御器部分２０ｂは、ＶＯＡからの光出力信号の輻射パワーを示す信号を受信するステップを反復して繰り返し、誤差信号を決定し、ＶＯＡ１６の減衰値を制御するための制御信号を決定するように構成される。
【００７８】
図６内の要素２７は、積分部２６’に結合しているが、積分部にて用いられる利得係数を変えるために積分部への入力を備えているものとして示されている。
【００７９】
さて、制御器の操作を（制御器２０’を含むデバイス１０’がたどる方法の流れ図を示すところの）図７を参照して記述しよう。
【００８０】
通常、光チャネル信号がなにもデバイス１０’に供給されない時は、雑音が前方へ伝送されるのを防ぐために、ＶＯＡ１６の減衰量は最大の減衰量に設定される。この減衰量最大状態（Ａ１またはＡ２）は図４に示され、ノードの出力端でのチャネルパワーは最低のレベルである。このように、ＶＯＡ１６は「遮断」状態にある。
【００８１】
ステップ１０２で、前記ノードは、上流のノードの関連するＶＯＡが初期校正ステップを首尾よく完了したことを示す第１の信号を上流のノードから受信する。この信号は、現在のノードと上流のノードの両方を含む光リンクに沿ってチャネルが導入中であることを示すために用いられる。ノードを通過する新経路を確立するため、または、ノードを通過するリンクを復活させるために、チャネルがリンクに導入されてもよい。
【００８２】
そこで、現在のノードのＶＯＡ１６の校正が開始され、ＶＯＡ１６の減衰量が所定の「安全な」減衰レベルに設定され、それにより校正目的で前記ＶＯＡからの光出力パワーの測定を可能となり、光出力パワーが測定される（ステップ１０４）。
【００８３】
ＶＯＡからの出力パワーが（伝送パワーレベルに到達可能であることを示唆する）所定の範囲であると測定されると、そこで、校正ステップ１０４は完了したと考えられる。校正ステップ１０４が完了すると、初期ＶＯＡ校正が完了したことを示す第１の信号が下流のノードで受信すべく前記ノードから出力される（ステップ１０５ａ）。また、校正ステップ１０４が完了すると、前記ノードは、上流のノードからの、関連するＶＯＡからの光出力信号（例えば、チャネルパワー）が適当な伝送パワーレベルであることを示す第２の信号を受信するのを待つ（ステップ １０５ｂ）。ステップ１０５ａと１０５ｂはどちらの順番でも、または同時に行うことができる。
【００８４】
第２の信号が受信されると（ステップ１０５ｂ）、レベル調整操作のための制御ループが始まる（ステップ１０６‐１１２）。制御器は出力輻射パワーを示す信号を受信する（ステップ１０６）。ステップ１０６の繰り返しの第１回目では、この信号は、単純に、校正ステップ１０４の期間中に測定されたＶＯＡ出力パワーのパワー測定結果であるかもしれない。しかし、ステップ１０６のその後の繰り返しでは光出力パワーの新しいパワー測定がなされる。
【００８５】
引き続いて、出力信号パワーを示す受信信号と目標輻射パワーを示す信号を用いて誤差信号が決定される。（ステップ１０８）。
【００８６】
ＶＯＡ１６の減衰値を設定するための制御信号は、そこで、第１の利得値または係数を用いて誤差信号から計算される（ステップ１１０）。この第１の利得値は、例えば図４に示した例におけるように比較的大きく、その利得値は１であり、その結果、前記サイクルの期間で用いられる高いループ利得のために、単一制御サイクル（例えば、状態Ｃ２）で光出力パワーがほぼ目標輻射パワーレベルとなるようにＶＯＡの減衰量が設定される。このように、静止、遮断状態（状態Ａ２）から所望のチャネル出力パワー（状態Ｄ２）への遷移は２制御サイクル内で起こる。このうち１制御サイクルは初期校正ステップ（状態Ｂ２）に対応するものである。
【００８７】
誤差信号と第１の利得係数を用いて計算されたＶＯＡ制御信号がＶＯＡ１６に出力されると、第１の期間が終了したかどうかが決定される（ステップ１１２）。
【００８８】
（第１の、比較的高い利得値が用いられる）第１の期間が終了したかどうかは１つ以上の方法で決定できる。それは、所定の数の制御サイクルが終了したかどうかに基づき決定できる。所定の数は第１の利得係数の値に依存し、例えば、利得係数が大きいほど、必要な制御サイクルは少なくなる。代替法として、第１の期間が終了したかどうかは、ＶＯＡ１６および／またはデバイス１０’からの光出力パワーを測定し、光出力パワーが目標輻射パワー（たとえば、チャネルの所望の伝送パワーレベル）の所定の範囲内にあるかどうかを決定することから決めることができる。
【００８９】
第１の期間が終了していないと思われる場合は（例えば、十分な制御サイクルが終了していない、および／または出力パワーが目標輻射パワーの所定の範囲内にはない場合は）、第１の期間が終了したと見なされるまで制御サイクル（ステップ１０６−１１２）が繰り返しされる。
【００９０】
引き続いて、制御ループに用いられる利得係数が変更され、より低い第２の利得値または利得係数を用いて次のＶＯＡ制御信号が発生される（ステップ１１４ａ）。換言すると、制御ループの利得が典型的な、（例えば、第１の利得値の１／３未満である第２の利得値、たとえば、０．２である第２の利得係数をもつ）通常動作レベルに低減される。第２の利得係数の値はチャネルが発信される下流のノードの数に依存してもよく、下流のノードの全てが連結した制御ループにおいて信号パワーの不安定性を生じないように選ぶこともできる。
【００９１】
さらには、第１の期間が終了したと見なされると、ＶＯＡが適当な伝送パワーレベルにある光出力信号を有することを示す第２の信号が下流のノードで受信されるように出力される（ステップ１１４ｂ）。ステップ１１４ａと１１４ｂはどちらの順序で起こってもよく、あるいは同時に起こってもよい。
【００９２】
本発明の上記の実施形態は例示目的でのみ記されたものであり、当業者には請求項の技術範囲に属する多くの変形例が明らかであろう。
【００９３】
図５は制御器２０’が２つの機能部分を備えるように示したが、これは説明の容易さのためだけであり、制御器は単一の物理ユニットとして、または複数の物理的部分として実現されることもある、と理解すべきである。制御器は、専用回路、専用マイクロプロセッサ、または、他の機能を行うマイクロプロセッサを含む任意の適当なプロセッサ部を用いて実現することができる。プロセッサ部は、デジタルまたはアナログの電子回路または電気回路を用いて実現されてもよい。制御器に備えられた制御ループの関連する機能ブロックを実行するためのインストラクションは、プロセッサ部へ配線されていてもよく、または、プログラムメモリ中に、またはデータキャリア上に蓄積された、プロセッサが読むことのできるインストラクションとして備えられてもよい。
【００９４】
上記の実施形態は２つの利得値または利得係数を用いて記述されたが、本発明は３つ以上の利得値、たとえば、第１の期間に用いる第１の、比較的高い利得値と、第２の期間に用いる第２の、中間の利得値と、および第３の期間に用いる第３の、より低い利得値とを用いて実施されてもよい。
【００９５】
このように、上記の記述から、本発明の実施形態に従った方法を用いてノードのチェーン内にチャネルを導入することはチャネルがチェーンに導入される速度を大幅に増大させ、ネットワークが従来技術の方法にくらべてより迅速に光信号の端末−端末間伝送を確立することを可能とすることがすぐに理解されよう。
【図１】
0005214805.tif 000002
【図２】
0005214805.tif 000003
【図３】
0005214805.tif 000004
【図４】
0005214805.tif 000005
【図５】
0005214805.tif 000006
【図６】
0005214805.tif 000007
【図７】
0005214805.tif 000008